【手続補正書】
【提出日】平成16年6月30日(2004.6.30)
【手続補正１】
【補正対象書類名】明細書
【補正対象項目名】特許請求の範囲
【補正方法】変更
【補正の内容】
【特許請求の範囲】
【請求項１】
チェック紙に記録された磁気インク文字を読み取り可能な磁気ヘッドと、
前記チェック紙に印字可能な印字ヘッドと、
前記磁気ヘッドと前記印字ヘッドとを結ぶ第１の紙経路を形成するための第１の紙ガイド部材と、
前記第１の紙経路上の前記チェック紙を紙送り可能な一対の紙送りローラと、  前記紙送りローラに動力を与えることが可能な紙送りモータと、
前記第１の紙経路の一部と交わって前記紙送りローラの周囲をループ状に結ぶ第２の紙経路を形成するための第２の紙ガイド部材と、
前記第１の紙ガイド部材と前記第２の紙ガイド部材とが交叉する部分に設けられ、前記チェック紙の紙経路につき前記第１の紙経路又は前記第２の紙経路のいずれか一方に切換え可能な紙経路切換機構とを備えたことを特徴とする磁気読取装置搭載プリンタ。
【請求項２】
前記第２の紙ガイド部材は、前記紙送りローラから前記第２の紙経路を経由して前記印字ヘッドまでの紙経路長が前記チェック紙の紙送り方向についての長さより小さくなるように構成されていることを特徴とする請求項１記載の磁気読取装置搭載プリンタ。
【請求項３】
前記紙経路切換機構は、前記第１の紙経路と前記第２の紙経路の交叉する部分を塞ぐことが可能な切換部が移動可能に構成されていることを特徴とする請求項１又は２のいずれか１項記載の磁気読取装置搭載プリンタ。
【請求項４】
前記紙経路切換機構の前記切換部は、前記第１の紙経路を塞ぐ方向に付勢されるとともに、前記第１の紙経路を開放する方向に移動するように構成されていることを特徴とする請求項３記載の磁気読取装置搭載プリンタ。
【請求項５】
前記紙経路切換機構は、前記切換部の移動を検出可能に構成されていることを特徴とする請求項３又は４のいずれか１項記載の磁気読取装置搭載プリンタ。
【請求項６】
前記磁気ヘッドからの情報に基づいて前記チェック紙に印字すべき内容が表書き又は裏書きのいずれか一方又は双方であるかを判別し、当該判別内容に応じて前記紙送りモータ及び前記紙経路切換機構の前記切換部を制御するための制御部を備えたことを特徴とする請求項３乃至５のいずれか１項記載の磁気読取装置搭載プリンタ。
【請求項７】
前記制御部は、前記紙経路切換機構が前記チェック紙について分岐する方向を前記切換部の切換位置によって選択する分岐位置選択機能を有することを特徴とする請求項６記載の磁気読取装置搭載プリンタ。
【請求項８】
前記制御部は、前記チェック紙に表書きすべき開始位置が前記印字ヘッドと対向するように前記紙送りモータの回転量を制御する表書き位置出し機能と、前記チェック紙に裏書きすべき開始位置が前記印字ヘッドと対向するように前記紙送りモータの回転量を制御する裏書き位置出し機能とを有することを特徴とする請求項６又は７のいずれか１項記載の磁気読取装置搭載プリンタ。
【請求項９】
前記制御部の前記表書き位置出し機能は、前記チェック紙の後端部分から表書きの開始位置までの紙長さから前記第１の紙経路上にあって前記印字ヘッドと前記紙経路切換機構の前記切換部との間の第１の紙経路長を減じたものに相当する戻し量分だけ、前記チェック紙を前記第１の紙経路上流側方向に搬送すべく、前記紙送りモータを回転するように構成されていることを特徴とする請求項８記載の磁気読取装置搭載プリンタ。
【請求項１０】
前記制御部の前記裏書き位置出し機能は、前記紙経路切換機構の前記切換部から前記第２の紙経路を経由して前記印字ヘッドまでの第２の紙経路長に前記チェック紙の後端部分から裏書きの開始位置までの紙長さを加えたものに相当する送り量分だけ、前記チェック紙を前記第２の紙経路下流側方向に搬送すべく、前記紙送りモータを回転するように構成されていることを特徴とする請求項８又は９のいずれか１項記載の磁気読取装置搭載プリンタ。
【請求項１１】
前記制御部の前記表書き位置出し機能は、前記第２の紙経路上にあるチェック紙に対しては、前記第２の紙経路長に前記チェック紙の後端部分から裏書きの終了位置までの紙長さを加えたものに相当する補正量分だけ、前記チェック紙を前記第２の紙経路上流側方向に搬送すべく、前記紙送りモータを回転するように構成されていることを特徴とする請求項８乃至１０のいずれか１項記載の磁気読取装置搭載プリンタ。
【請求項１２】
前記紙経路切換機構の前記切換部に対して前記第１の紙経路の上流側に所定の紙経路長をおいて配設され、前記チェック紙を検出可能な第１の紙センサと、
前記紙経路切換機構の前記切換部に対して前記第１の紙経路の下流側に配設され、前記チェック紙を検出可能な第２の紙センサとを備え、
前記制御部は、前記第１の紙センサ及び前記第２の紙センサが検出した情報に基づき、前記紙送りモータの回転量に関する情報を計数することによって前記チェック紙の長さを算出する紙長さ算出機能を有することを特徴とする請求項６乃至１１のいずれか１項記載の磁気読取装置搭載プリンタ。
【請求項１３】
第１の紙経路の第１の方向に沿って順に配置された、磁気ヘッドと、紙送りローラと、印字ヘッドと、
前記紙送りローラの外周に沿ってループ状に形成され、その一端が前記紙送りローラと前記磁気ヘッドとの間の第１の位置で、その他端が前記紙送りローラと前記印字ヘッドとの間の第２の位置で、前記第１の紙経路に接続された第２の紙経路と、
前記第１の位置において、前記第１の紙経路を開閉する紙経路切換機構と、
前記第１の紙経路に沿って前記第１の方向に搬送された用紙の後端部が、前記第１の位置を越えて位置する場合に、前記紙経路切換機構を制御して前記第１又は前記第２の紙経路のいずれかを選択し、前記用紙を前記第１の方向と反対の第２の方向に搬送させる制御部とを有することを特徴とする磁気読取装置搭載プリンタ。
【請求項１４】
磁気ヘッドによりチェック紙の磁気インク文字を読み取った内容に応じて、表書きをする場合には、前記チェック紙を一対の紙送りローラで挟んだ状態で印字ヘッドへ向かう方向に紙送りしつつ印字を行い、裏書きをする場合には、前記チェック紙を一対の紙送りローラで挟んだ状態で紙送りローラの周囲をめぐらせてから前記印字ヘッドへ向かう方向に紙送りしつつ印字を行うことを特徴とするチェック紙の印字方法。
【請求項１５】
第１紙経路に沿って配置され、記録紙に記録された磁気インク文字の読み取りを行う磁気ヘッドと、
前記第１紙経路に沿って配置され、前記記録紙に印字を行う印字ヘッドと、
前記記録紙を前記印字ヘッドに向かう第１方向および前記第１方向と反対の第２方向に搬送可能な搬送ローラ対であって、第１ローラ及び第２ローラを備えるものと、
前記第１ローラの外周に沿って弧状に形成され、前記第１ローラに対して前記第２方向の側で前記第１紙経路から分岐するとともに、前記第１ローラに対して前記第１方向の側で前記第１紙経路に合流する第２紙経路と、
前記分岐位置近傍に配置され、前記第２方向に搬送される前記記録紙の経路を前記第１紙経路又は前記第２紙経路の何れかに切り換えるための経路切換部材であって、前記第１紙経路を選択する第１位置と、前記第２紙経路を選択する第２位置とに変位可能なものとを有することを特徴とするプリンタ。
【請求項１６】
請求項１５に記載のプリンタにおいて、
前記経路切換部材を前記第２位置に付勢する付勢部材と、
前記経路切換部材を、前記第１位置に変位せしめるアクチュエータとを有することを特徴とするプリンタ。
【請求項１７】
請求項１５又は１６に記載のプリンタにおいて、
前記第１紙経路に沿って前記第１方向に搬送された前記記録紙の後端部が前記分岐位置を越えて位置する場合に、前記経路切換部材を前記第１位置又は前記第２位置の一方に変位せしめ、前記搬送ローラ対を駆動して前記記録紙を前記第２方向に搬送させる切換制御部を有することを特徴とするプリンタ。
【請求項１８】
請求項１５〜１７の何れかに記載のプリンタにおいて、
前記第１紙経路に沿って前記印字ヘッド上を搬送される前記記録紙の第１面に印字を行わせ、前記第２紙経路を経由して前記印字ヘッド上を搬送される前記記録紙の第２面に印字を行わせる印字制御部を有することを特徴とするプリンタ。
【請求項１９】
請求項１５〜１８の何れかに記載のプリンタにおいて、
前記印字ヘッドと前記第１ローラとは、前記第１紙経路に対して同一側に位置することを特徴とするプリンタ。